(57)【要約】【課題】  万が一光ディスク装置に２枚重ねで光ディスクを挿入した場合でも、光ディスクや光ディスク装置を傷つけることなく光ディスクを取り出すことができる光ディスク装置を提供する。【解決手段】  光ディスク１２を２枚重ねで無理やり押し込んだ場合、固定ガイド部４１と厚さ規制部材４３との協働により、２枚重ねの光ディスク１２の挿入を防止するようになっている。２枚重ねの光ディスク１２を引き出す際は、厚さ規制部材４３が引き出し方向に回動するため、光ディスク１２および光ディスク装置１０をいためることなく、容易に２枚重ねの光ディスク１２を取り出すことができることになる。【選択図】  図４
2007052883.tif 000002
【特許請求の範囲】
【請求項１】
挿入された光ディスクの一方の表面をガイドする固定ガイド部と、前記固定ガイド部に対向するとともに当該固定ガイド部との間に前記光ディスク２枚分の厚さ未満の光ディスク挿入路を形成する厚さ規制部材とを有し、
前記厚さ規制部材が前記光ディスクを排出する方向に回動可能である光ディスク装置。
【請求項２】
前記厚さ規制部材が装置の内側において前記光ディスクの外周縁位置に対応する両端部に設けられている請求項１に記載の光ディスク装置。
【請求項３】
前記厚さ規制部材を前記光ディスクの挿入方向に付勢する弾性部材と、前記厚さ規制部材が前記光ディスクの挿入方向への移動を規制するストッパとを有した請求項１または２に記載の光ディスク装置。
【発明の詳細な説明】
【技術分野】
【０００１】
本発明は、光ディスクを２枚重ねて光ディスク装置内へ挿入することを防止する機構、すなわち、光ディスクの２重挿入防止機構を有する光ディスク装置に関するものである。
【背景技術】
【０００２】
従来より、光ディスク識別装置を備えた車載用のオーディオ機器などの光ディスク装置には、複数枚の光ディスクを重ねて挿入することにより光ディスク装置や光ディスクを損傷しないように、複数枚の光ディスクの挿入を防止する機構が設けられている（例えば特許文献１参照）。
すなわち、図８に示すように、特許文献１記載の光ディスク装置１００においては、本体１０１内の開口部１０２の上側中央および左右に上側ガイド１０３、１０４、１０５を設けるとともに、下側には、中央が低くなるような傾斜を有する下側ガイド１０６を設けている。そして、上側ガイド１０３、１０４、１０５と下側ガイド１０６との間隔を光ディスク１０７の厚さ２枚以下とすることによって光ディスク１０７を２枚重ねて挿入できないようにしている。
【特許文献１】特開２００１−３１２８５０号公報（図７）
【発明の開示】
【発明が解決しようとする課題】
【０００３】
しかしながら、図８に示すように、２枚重ねた光ディスク１０７を無理に光ディスク装置１００に押し込むと、上側ガイド１０３と下側ガイド１０６とが光ディスク１０７を挟み込んで光ディスク１０７が食い込んだ状態となり、光ディスク１０７を引き出す際に非常に、大きな力が必要になるとともに光ディスク１０７を傷つけたり、光ディスク装置１００に損傷を与えたりする場合があるという不都合があった。
【０００４】
本発明は、前述した問題点に鑑みてなされたものであり、その目的は、万が一光ディスク装置に２枚重ねで光ディスクを挿入した場合においても、光ディスクや光ディスク装置を傷つけることなく光ディスクを取り出すことができる光ディスク装置を提供することにある。
【課題を解決するための手段】
【０００５】
前述した目的を達成するために、本発明にかかる光ディスク装置は、挿入された光ディスクの一方の表面をガイドする固定ガイド部と、前記固定ガイド部に対向するとともに当該固定ガイド部との間に前記光ディスク２枚分の厚さ未満の光ディスク挿入路を形成する厚さ規制部材とを有し、前記厚さ規制部材が前記光ディスクを排出する方向に回動可能とした。
【０００６】
このように構成された光ディスク装置においては、万が一、光ディスクを２枚重ねて挿入すると、固定ガイド部と厚さ規制部材との協働により、２枚重ねの光ディスクの挿入を防止するようになっている。２枚重ねの光ディスクを引き出す際は、厚さ規制部材が引き出し方向に回動するため、光ディスクおよび光ディスク装置をいためることなく、容易に２枚重ねの光ディスクを取り出すことができることになる。
【０００７】
また、本発明にかかる光ディスク装置は、前記厚さ規制部材が装置の内側において前記光ディスクの外周縁位置に対応する両端部に設けられていることにある。
【０００８】
このように構成された光ディスク装置においては、厚さ規制部材が光ディスク挿脱口の内側近傍で且つ光ディスクの外周縁に対応する光ディスク挿脱口の両端部において２枚重ね光ディスクの挿入を防止するので、光ディスク内のデータ記録部に影響を与えることなく、容易に光ディスクを取り出すことができる。
【０００９】
また、本発明にかかる光ディスク装置は、前記厚さ規制部材を前記光ディスクの挿入方向に付勢する弾性部材と、前記厚さ規制部材が前記光ディスクの挿入方向への移動を規制するストッパとを有している。
【００１０】
このように構成された光ディスク装置においては、厚さ規制部材は常時光ディスク挿入方向へ付勢されてストッパに当接し２枚重ね検出位置に位置決めされているので、光ディスク挿入時に２枚重ねを確実に防止することができるとともに、光ディスクを引き出す際には厚さ規制部材の回動を許容するので、容易に光ディスクを引き出すことができる。
【発明の効果】
【００１１】
本発明によれば、光ディスクを２枚重ねで無理やり押し込んだ場合でも、固定ガイド部と厚さ規制部材との協働により、２枚重ねの光ディスクの挿入を防止するようになっている。また、２枚重ねの光ディスクを引き出す際は、厚さ規制部材が引き出し方向に回動するため、光ディスクおよび光ディスク装置をいためることなく、容易に２枚重ねの光ディスクを取り出すことができるという効果が得られる。
【発明を実施するための最良の形態】
【００１２】
以下、本発明に係る実施形態を図面に基づいて詳細に説明する。
図１は本発明の実施形態の光ディスク装置を内蔵するカーオーディオ装置の全体斜視図、図２はカーオーディオ装置に内蔵されている本発明の実施形態である光ディスク装置の図１中II−II位置から見た平面図、図３は前面パネルと取り外した光ディスク装置の正面図、図４は２枚重ね光ディスク検出機構により２枚重ね光ディスクを検出した状態を示す図３中IV−IV位置の断面図、図５は２枚重ね光ディスクを本体から引き出す状態を示す図３中Ｖ−Ｖ位置の断面図、図６は２枚重ね光ディスク検出機構の正面図である。
【００１３】
このカーオーディオ装置１では、光ディスク装置としての光ディスク装置１０のほかにラジオ２、カセットテープ再生装置３等を内蔵しており、前面パネル４には、全機能に共用される表示部４ａや電源／ボリュームつまみ４ｂに加えて、光ディスク装置１０における光ディスク挿脱口１１、ラジオ用のチューニングつまみ２ａ、カセットテープ挿脱口３ａ等が設けられている。また、内部には、ラジオ２、カセットテープ再生装置３、光ディスク装置１０等を制御する制御部５が設けられている。
【００１４】
図２に示すように、光ディスク装置１０は、複数の光ディスクとしての光ディスク１２を内部に収納可能な本体１３と、この本体１３の内部において各光ディスク１２を個別に保持する複数のトレイ２０とを備えている。
【００１５】
また、図２に示すように、本体１３内部におけるトレイ２０の近傍（図２中右側）には、先端に光ディスク１２を挟持して回転するターンテーブル３１を有する回動アーム３０が、支軸３２を中心として回動自在に設けられている。回動アーム３０のサスシャーシ３３には、図示省略の光ヘッドを備えたピックアップ３４が支軸３２とターンテーブル３１の中心とを結ぶ方向に沿って往復移動自在に設けられており、駆動モータ３５によって回転されるリードスクリュ３６によって移動するようになっている。
なお、挿脱口１１の本体１３内側には、上下対を成す搬送ローラ１６が設けられており、挿脱口１１に挿入された光ディスク１２を搬入したり、記録再生が完了した光ディスク１２を挿脱口１１から排出したりするようになっている。
【００１６】
図３から図６に示すように、光ディスク装置１０本体１３に設けられている光ディスク挿脱口１１の内側近傍で光ディスク１２の外周縁位置に対応する両端部には、光ディスク１２の２枚重ね挿入を防止するための２枚重ね挿入防止機構４０が設けられている。
すなわち、本体１３の前面に設けられている光ディスク挿脱口１１から挿入された光ディスク１２の一方の表面をガイドする固定ガイド部４１と、この固定ガイド部４１に対向するとともに固定ガイド部４１との間に光ディスク１２の厚さ１枚分以上２枚分未満の光ディスク挿入路４２を形成する厚さ規制部材４３とを有し、厚さ規制部材４３はピン４６を中心として光ディスク１２を排出する方向（図４において左方向、矢印Ａ）に回動可能に設けられている。
【００１７】
また、図３に示すように、固定ガイド部４１は、左右両端部に傾斜面４１ａが設けられており、傾斜面４１ａの外側端部４１ｂは光ディスク１２の外形内で外周縁の近傍であるとともに光ディスクデータ記録エリアの外側に設けられている。
図４から図６に示すように、厚さ規制部材４３は、常時弾性部材であるバネ４４により光ディスク挿入方向（図４において右方向、矢印Ｂ）へ付勢され、ストッパ４５に当接して２枚重ね検出位置（図４に表示する位置）に位置決めされている。厚さ規制部材４３は、固定ガイド部４１の外側端部４１ｂに対向して設けられており、光ディスク１２の１枚の厚さよりは大きく、２枚の厚さよりは小さな隙間を形成して光ディスク挿入路４２を形成している。
【００１８】
従って、光ディスク挿脱口１１から１枚の光ディスク１２を正常に挿入する際には、図４において下側の光ディスク１２のみを挿入する場合に該当し、厚さ規制部材４３と固定ガイド部４２との間には光ディスク１２の１枚分の厚さ以上の空間があるので、光ディスク１２は搬送ローラ１６によって光ディスク装置１０の内部に引き込まれる。
一方、光ディスク１２を２枚重ねで挿入する際には、図４において２枚の光ディスク１２、１２を重ねて挿入する場合に該当し、厚さ規制部材４３と固定ガイド部４２との間には光ディスク１２の２枚分の厚さ未満の空間しか設けられていないので、厚さ規制部材４３は光ディスク１２の挿入を阻止する。
さらに、挿入を阻止した状態から２枚の光ディスク１２、１２を無理やり押し込んだ場合には、固定ガイド部４１の傾斜面４１ａに沿って光ディスク１２、１２の中央部が下方へ撓み、厚さ規制部材４３と固定ガイド部４１との間に食い込んだ状態となる。
【００１９】
２枚重ねの光ディスク１２、１２が２枚重ね挿入防止機構４０により止められている場合には、２枚の光ディスク１２、１２を排出方向へ引き出すと、光ディスク１２が厚さ規制部材４３と固定ガイド部４１との間に食い込んでいる場合でも、図５に示すように、厚さ規制部材４３が排出方向（図５中矢印方向）へ回動可能なので、少なくとも上側の光ディスク１２を引き出すことにより、厚さ規制部材４３は排出方向へ回動する。このため、２枚の光ディスク１２、１２は厚さ規制部材４３と固定ガイド４１との協働による固定から解除されて、排出することができる。
なお、２枚の光ディスク１２、１２を排出した後は、厚さ規制部材４３はバネ４４の弾性力によりストッパ４５におしつけられて、再び２枚重ね検出位置に戻り、２枚重ね光ディスクの挿入を防止することになる。
【００２０】
以上、前述した光ディスク装置１０によれば、万が一、光ディスク１２を２枚重ねで無理やり押し込んだ場合には、固定ガイド部４１と厚さ規制部材４３との協働により、２枚重ねの光ディスク１２、１２の挿入を防止することができる。つまり、２枚重ねの光ディスク１２、１２は厚さ規制部材４３により強く押し付けられることで、押し付けられた位置にとどまり、その位置より先の装置内に挿入されることを防止することができる。さらに、この状態から２枚重ねの光ディスク１２、１２を引き出す際は、厚さ規制部材４３が引き出す方向に回動するため、光ディスク１２、１２および光ディスク装置１０の内部機器をいためることなく、容易に２枚重ねの光ディスク１２、１２を取り出すことができることになる。
また、厚さ規制部材４３が光ディスク挿脱口１１の内側近傍で且つ光ディスク１２の外周縁に対応する光ディスク挿脱口１１の両端部において２枚重ね光ディスク１２の挿入を防止する、すなわち、光ディスク１２のデータ記録エリアよりも外周側であり、かつ、ディスク外形よりも内周側の位置に厚さ規制部材が設けられて２枚重ね光ディスクの挿入が防止されるので、光ディスクのデータ記録エリア部分をより確実に保護した状態で容易に光ディスク１２を取り出すことができる。
【００２１】
なお、本発明の光ディスク装置は、前述した実施形態に限定されるものでなく、適宜な変形，改良等が可能である。
例えば、前述した実施形態において、厚さ規制部材４３は光ディスク１２の厚み方向（図４において上下方向）へ回動する構成について説明したが、この他、図７（Ａ）および（Ｂ）に示すように、厚さ規制部材４３Ｂを光ディスク外形方向（図４において水平面内外側）へ回動するようにすることも実施可能である。すなわち、厚さ規制部材４３Ｂを、図７（Ａ）中上下方向に設けられているピン４６Ｂの周りに水平に回動可能とするとともに、常時バネ４４Ｂによりストッパ４５Ｂへ当接する方向へ付勢する。このようにすることにより、前述した実施形態と同様に、２枚重ね光ディスクの挿入を防止することができるとともに、光ディスク１２を引き出す際に厚さ規制部材４３Ｂが回動することにより、容易に取り出すことができる。
【産業上の利用可能性】
【００２２】
以上のように、本発明に係る光ディスク装置は、万が一、光ディスクを２枚重ねで無理やり押し込んでも、固定ガイド部と厚さ規制部材との協働により、２枚重ねの光ディスクの挿入を防止するようになっている。また、２枚重ねの光ディスクを引き出す際は、厚さ規制部材が引き出し方向に回動するため、光ディスクおよび光ディスク装置をいためることなく、容易に２枚重ねの光ディスクを取り出すことができるという効果を有し、光ディスク装置内への２重挿入防止機構を有する光ディスク装置等として有用である。
【図面の簡単な説明】
【００２３】
【図１】本発明の実施形態の光ディスク装置を内蔵するカーオーディオ装置の全体斜視図
【図２】本発明の実施形態における光ディスク装置の図１中II−II位置から見た平面図
【図３】本発明の実施形態における前面パネルと取り外した光ディスク装置の正面図
【図４】本発明の実施形態における２枚重ね光ディスク検出機構により２枚重ね光ディスクを検出した状態を示す図３中IV−IV位置の断面図
【図５】本発明の実施形態における２枚重ね光ディスクを本体から引き出す状態を示す図３中Ｖ−Ｖ位置の断面図
【図６】本発明の実施形態における２枚重ね光ディスク検出機構の正面図
【図７】（Ａ）本発明の実施形態とは異なる実施形態を示す要部断面図  （Ｂ）本発明の実施形態とは異なる実施形態を示す要部平面図
【図８】従来の光ディスク装置を示す断面図
【符号の説明】
【００２４】
１０  光ディスク装置
１１  光ディスク挿脱口
１２  光ディスク（光ディスク）
１３  本体
２０  トレイ
４１  固定ガイド部
４２  光ディスク挿入路
４３  厚さ規制部材
４４  バネ（弾性部材）
４５  ストッパ
【図１】
2007052883.tif 000003
【図２】
2007052883.tif 000004
【図３】
2007052883.tif 000005
【図４】
2007052883.tif 000006
【図５】
2007052883.tif 000007
【図６】
2007052883.tif 000008
【図７】
2007052883.tif 000009
【図８】
2007052883.tif 000010